(57)【要約】【課題】薄型及び軽量であっても、吸収速度が速く、液戻り防止等の吸収性能に優れ、着用感の良好な吸収性物品を提供する。【解決手段】液透過性のシートと、液不透過性のバックシートと、液透過性のシートとバックシートとの間に吸収体を設けた吸収性物品であって、液透過性のシートは、肌当接面側の第一シートと吸収体側の第二シートを有し、第一シートの親水度が、第二シートの親水度よりも大きいことを特徴とする、吸収性物品を提供する。【選択図】図１
2020202910.tif 000002
【特許請求の範囲】
【請求項１】
液透過性のシートと、液不透過性のバックシートと、前記液透過性のシートと前記バックシートとの間に吸収体を設けた吸収性物品であって、
前記液透過性のシートは、肌当接面側の第一シートと前記吸収体側の第二シートを有し、
前記第一シートの親水度が、前記第二シートの親水度よりも大きいことを特徴とする、吸収性物品。
【請求項２】
前記第一シート及び前記第二シートにおいて、前記第一シートの耐久液透過率の３回目測定値が５０％以上８０％以下であって、前記第二シートの耐久液透過率の３回目測定値が２０％以上５０％以下であることを特徴とする、請求項１に記載の吸収性物品。
【請求項３】
前記第一シート及び前記第二シートは、液透過性の二層構造のトップシートのそれぞれの層に相当することを特徴とする、請求項１又は２に記載の吸収性物品。
【請求項４】
前記第一シート及び前記第二シートは、液透過性のトップシート及び液透過性のセカンドシートにそれぞれ相当することを特徴とする、請求項１又は２に記載の吸収性物品。
【発明の詳細な説明】
【技術分野】
【０００１】
本発明は、吸収性物品に関する。
【背景技術】
【０００２】
一般に吸収性物品は、液透過性のトップシートと、液不透過性のバックシートと、トップシート及びバックシートの間に配置された吸収体と、で構成されている。近年、主に中度から重度の介護用に使用される吸収性物品では、夜間等の長時間の着用でも多回数の排尿を吸収しながら、着用者の快適性、特にトップシート表面のドライを保つ、高吸収量の吸収性物品の態様が多く提案されている。
【０００３】
そのような吸収性物品として、例えば、特許文献１は、透液性表面シートと裏面シートとの間に、吸収体が介在されるとともに、透液性表面シートと吸収体との間に親水性繊維シートが配置された吸収性物品において、少なくとも透液性表面シートにおいて、裏面側に、表面側よりも高い親水度を付与したことを特徴とする吸収性物品が開示されている。
【先行技術文献】
【特許文献】
【０００４】
【特許文献１】特開２００５−０８７６５９号公報
【発明の概要】
【発明が解決しようとする課題】
【０００５】
通常、繰り返し多回数の排尿を吸収するためには、トップシートに親水度の高いものを使用しなくてはならない。しかしながら、親水度の高いトップシートを使用すると、一度吸収した尿等の体液が着用者の体重等の圧力がかかると、再びトップシートを通って液戻り（液が逆戻り）してしまうという現象が起こる。
【０００６】
特に、高吸収量尿取りパッド等の吸収性物品では、繰り返し吸収と液戻り量の少なさは、トップシートの親水度においては相反する特性であり、両立が困難である。
【０００７】
したがって、本発明は、以上の課題に鑑みてなされたものであり、薄型及び軽量であっても、吸収速度が速く、液戻り防止等の吸収性能に優れ、着用感の良好な吸収性物品を提供することを目的とする。
【課題を解決するための手段】
【０００８】
本発明の発明者らは、上記課題に鑑み、鋭意研究を行った。その結果、トップシートの表裏、又はトップシートとその直下に配置するセカンドシートにおいて、親水度の違う素材を使用することにより、吸収体の重量を過大にすることなしに、繰り返し吸収と液戻り量の少なさを両立させることで、上記課題を解決することを見出し、本発明を完成するに至った。具体的には、本発明は、以下のものを提供する。
【０００９】
（１）本発明の第１の態様は、液透過性のシートと、液不透過性のバックシートと、前記液透過性のシートと前記バックシートとの間に吸収体を設けた吸収性物品であって、前記液透過性のシートは、肌当接面側の第一シートと前記吸収体側の第二シートを有し、前記第一シートの親水度が、前記第二シートの親水度よりも大きいことを特徴とする、吸収性物品である。
【００１０】
（２）本発明の第２の態様は、（１）に記載の吸収性物品であって、前記第一シート及び前記第二シートにおいて、前記第一シートの耐久液透過率の３回目測定値が５０％以上８０％以下であって、前記第二シートの耐久液透過率の３回目測定値が２０％以上５０％以下であることを特徴とするものである。
【００１１】
（３）本発明の第３の態様は、（１）又は（２）に記載の吸収性物品であって、前記第一シート及び前記第二シートは、液透過性の二層構造のトップシートのそれぞれの層に相当することを特徴とするものである。
【００１２】
（４）本発明の第４の態様は、（１）又は（２）に記載の吸収性物品であって、前記第一シート及び前記第二シートは、液透過性のトップシート及び液透過性のセカンドシートにそれぞれ相当することを特徴とするものである。
【発明の効果】
【００１３】
したがって、本発明によれば、薄型及び軽量であっても、吸収速度が速く、液戻り防止等の吸収性能に優れ、着用感の良好な吸収性物品を提供することができる。
【図面の簡単な説明】
【００１４】
【図１】本発明の吸収性物品の平面図である。
【図２】図１のＸ１−Ｘ１の断面図である。
【図３】本発明の別の実施形態における、図１のＸ１−Ｘ１の断面図である。
【発明を実施するための形態】
【００１５】
以下、本発明を実施するための形態（以下、実施形態）について詳細に説明するが、これらは例示の目的で掲げたもので、これらにより本発明を限定するものではない。なお、実施形態の説明の全体を通して同じ要素には同じ符号を付する。
【００１６】
また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、特に失禁用製品、尿取りパッドが例示されるが、これに限定されるものではなく、その他の吸収性物品であってもよい。
【００１７】
＜吸収性物品＞
本発明の吸収性物品１は、液透過性のシートと、液不透過性のバックシートと、液透過性のシートとバックシートとの間に吸収体を設けた吸収性物品である。
このとき、液透過性のシートは、肌当接面側の第一シートと吸収体側の第二シートを有し、第一シートの親水度が、第二シートの親水度よりも大きい。第一シートは第二シートよりも親水度が大きいため、尿は第一シートから順に素早く吸収され、第二シートも通過し吸収体に至る。吸収体からの液戻りは親水度の小さい第二シートに遮られるため、液戻り量としては少なくなる。よって、吸収速度は優れ、液戻りが少ないというバランスが達成される。液透過性のシートの親水度を調整する方法としては、シートの構成繊維の親水化処理の程度、例えば、親水化剤の種類や含有量などを適宜調整する方法等が挙げられる。
【００１８】
本発明の吸収性物品１においては、親水度を表す指標として耐久液透過率を用いる。耐久液透過率の測定方法は、以下のように行う。
平面に吸収体としてトイレットペーパー１０枚を置き、その上にサンプルを密着させる。サンプルの上方１５ｍｍのスポイトから生理食塩水１滴（０．１ｃｃ／滴）滴下する。滴下液が２秒以内に吸収されたものを透過とする。吸収した３分後（表面が乾いた後）、同じ位置に再度１滴滴下し、２回目の試験とする。繰り返し３回測定する。同じ試料の１０〜４０か所について試験し、滴下した数に対する透過数の割合を耐久液透過率（％）とする。耐久液透過率が高いほど、そのサンプルは親水度が大きいこととなる。
【００１９】
本発明の吸収性物品１において、第一シートの耐久液透過率の３回目測定値は５０％以上８０％以下であることが好ましく、５５％以上７５％以下であることがより好ましい。また、第二シートの耐久液透過率の３回目測定値は２０％以上５０％以下であることが好ましく、２５％以上４５％以下であることがより好ましい。第一シート及び第二シートのそれぞれの耐久液透過率の３回目測定値を上記の範囲内とすることにより、吸収速度は優れ、液戻りが少ないというバランスがより良好な吸収性物品１を得ることができる。
【００２０】
本発明の吸収性物品１において、第一シート及び第二シートは、液透過性の二層構造のトップシートのそれぞれの層に相当するか、又は液透過性のトップシート及び液透過性のセカンドシートにそれぞれ相当する。以下、それぞれの実施形態について添付図面を参照して説明する。
【００２１】
図１は、本発明の実施形態に係る吸収性物品１をトップシート１０側から見た平面図であり、図２は、図１の吸収性物品１のＸ１−Ｘ１における断面図である。図１及び図２に示すように、吸収性物品１は、肌当接面側に配された液透過性のトップシート１０と、トップシート１０に対向して非肌当接面側に配置された液不透過性のバックシート２０と、トップシート１０とバックシート２０との間に配置された吸収体３０と、を有する。これにより、吸収体３０は、トップシート１０とバックシート２０との間に挟まれた構造となっている。
【００２２】
吸収性物品１の、長手方向の寸法は３００ｍｍ以上８００ｍｍ以下、幅方向の寸法は１５０ｍｍ以上４００ｍｍ以下であることが好ましい。吸収性物品１の寸法を上記の範囲に調整することにより、失禁用製品、尿取りパッド等に適した吸収性物品１を得ることができる。
【００２３】
また、吸収性物品１には、着用者の排泄した体液の横漏れを防止するため、吸収性物品１の長手方向に沿って、トップシート１０上に、立体ギャザー用弾性部材を有する一対の立体ギャザーを備えていてもよい（図示しない）。吸収性物品１の幅方向における立体ギャザーの外端は、バックシート２０に固定され、その内端はトップシート１０に固着され、その中央はトップシート１０に固定されない自由端となるように、立体ギャザーシートが配される。立体ギャザー用弾性部材を長手方向に沿って設けることで、立体ギャザーが起立性を有し、着用者の体型に合わせて変形可能なものとなる。立体ギャザー用弾性部材としては、例えば、サーマルボンド不織布、スパンボンド不織布、ポリエチレンフィルム、又はそれらのシートを組み合わせて接合したシートなどが使用できる。強度及び加工性の点から、立体ギャザーの坪量は、１５ｇ／ｍ２以上１００ｇ／ｍ２以下であることが好ましい。
【００２４】
＜トップシート＞
トップシート１０は、体液が吸収体３０へと移動するような液透過性を備えた基材から形成されればよく、例えば、サーマルボンド不織布、スパンボンド不織布など公知の親水性不織布等が使用できる。また、トップシート１０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート１０には、ローション、酸化防止剤、抗炎症成分、ｐＨ調整剤、抗菌剤、保湿剤等を含有させてもよい。また、上述のようにトップシート１０は、吸収体３０からの液戻りを防止するため、第一シート及び第二シートを有する、二層構造であることが好ましい。
強度、加工性及び液戻り量の点から、トップシート１０の坪量は、１５ｇ／ｍ２以上２００ｇ／ｍ２以下であることが好ましく、２０ｇ／ｍ２以上１００ｇ／ｍ２以下であることがより好ましい。トップシート１０の形状としては特に制限はないが、漏れがないように体液を吸収体３０へと誘導するために必要とされる、吸収体３０の全体を覆う形状であればよい。
【００２５】
＜バックシート＞
バックシート２０は、吸収体３０が保持している体液が衣類を濡らさないような液不透過性を備えた基材を用いて形成されればよく、通気性又は非通気性の不透液性のプラスチックフィルムが使用できる。
【００２６】
強度及び加工性の点から、バックシート２０の坪量は、１５ｇ／ｍ２以上４０ｇ／ｍ２以下であることが好ましく、２０ｇ／ｍ２以上３５ｇ／ｍ２以下であることがより好ましい。バックシート２０に通気性を備えさせるためには、例えば、基材の樹脂フィルムにフィラーを配合したり、バックシート２０にエンボス加工を施したりすればよい。なお、フィラーとしては炭酸カルシウムを挙げることができ、その配合方法は、公知の方法を制限なく行うことができる。
【００２７】
＜吸収体＞
本発明の吸収性物品１において、吸収体３０の長手方向の寸法は、２００ｍｍ以上７００ｍｍ以下であることが好ましく、２５０ｍｍ以上６５０ｍｍ以下であることがより好ましい。また、吸収体３０の幅方向の寸法は、１００ｍｍ以上３５０ｍｍ以下であることが好ましく、１５０ｍｍ以上３００ｍｍ以下であることがより好ましい。
【００２８】
（吸収性繊維）
吸収体３０は、基材としての吸収性繊維と、高吸収性ポリマーを含有する。
吸収性繊維は、一般に失禁用製品や尿取りパッド等の吸収性物品に使用されるものであれば特に制限はなく、例えば、フラッフパルプ、コットン、レーヨン、アセテート、ティシュー、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体３０に、基材としての吸収性繊維にフラッフパルプを用いた場合、吸収性繊維の坪量は、１００ｇ／ｍ２以上８００ｇ／ｍ２以下であることが好ましく、１５０ｇ／ｍ２以上７００ｇ／ｍ２以下であることがより好ましい。これにより、肌触りを損なわずに、より多くの体液を吸収させることができる。
【００２９】
（高吸収性ポリマー）
吸収体３０の高吸収性ポリマー（ＳＡＰ）としては、体液を吸収し、かつ、逆流を防止できるものであれば特に制限はなく、その中でも、重量当たりの吸収量の観点から、高吸収性樹脂が好ましい。
【００３０】
吸収体３０に含有される高吸収性ポリマーの坪量は、５０ｇ／ｍ２以上５００ｇ／ｍ２以下であることが好ましく、１００ｇ／ｍ２以上４００ｇ／ｍ２以下であることがより好ましい。また、吸収体３０の全重量に対する高吸収性ポリマーの重量％は、１５％以上５０％以下であることが好ましく、２０％以上４５％以下であることがより好ましい。高吸収性ポリマーの坪量及び重量％を上記の数値範囲内とすることで、吸収体３０におけるゲルブロッキングを防止し、かつ、吸収体３０において多量の体液を吸収させることができる。
なお、吸収体３０において、吸収性繊維及び高吸収性ポリマーの形態は、吸収性繊維中にＳＡＰ粒子を混合して形成した積層マットであることが好ましい。
【００３１】
＜セカンドシート＞
図３は、本発明の別の実施形態における、図１の吸収性物品１のＸ１−Ｘ１における断面図である。別の実施形態においては、図３に示すように、トップシート１０が一層構造である代わりに、吸収体３０からの液戻りを防止するため、トップシート１０と吸収体３０との間に、液透過性のセカンドシート４０が配されていることが好ましい。
セカンドシート４０は、トップシート１０と同様に、体液が吸収体３０へと移動するような液透過性を備えた基材から形成されればよく、例えば、サーマルボンド不織布、スパンボンド不織布など公知の親水性不織布等が使用できる。
強度、加工性及び液戻り量の点から、セカンドシート４０の坪量は、１５ｇ／ｍ２以上２００ｇ／ｍ２以下であることが好ましく、２０ｇ／ｍ２以上１００ｇ／ｍ２以下であることがより好ましい。セカンドシート４０の形状としては特に制限はないが、漏れがないように体液を吸収体３０へと誘導するために必要とされる、吸収体３０の全体を覆う形状であればよい。
【００３２】
＜吸収性物品の製造方法＞
吸収性物品１の製造方法としては、特に限定はなく、従来公知の方法を採用することができ、例えば、非肌当接面側から、バックシート２０、吸収体３０、トップシート１０の順、又はバックシート２０、吸収体３０、セカンドシート４０、トップシート１０の順に積層し、トップシート１０とバックシート２０とを一部又は全周に亘ってホットメルト接着剤やヒートエンボス、超音波エンボス、高周波エンボス等を用いて固定し、封止することで製造することができる。このとき、トップシート１０が二層構造である場合は、あらかじめ二層を接着させた状態で積層してもよいし、第二シートと第一シートをそれぞれ積層した後に、まとめてバックシート２０と接着してもよい。
【００３３】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００３４】
以下、本発明について、実施例を挙げて詳細に説明する。なお、本発明は、以下に示す実施例に何ら限定されるものではない。
【００３５】
（吸収性物品の作成）
吸収体としては、基材であるフラッフパルプ２５ｇの中に、ＳＡＰ１０ｇを混合して形成したものを使用し、トップシートとして、エアスルー不織布（坪量２５ｇ／ｍ２）を用い、バックシートとして、通気性ポリエチレンフィルム（坪量３２ｇ／ｍ２）を用いた。トップシートは二層構造であり、第一シートの耐久液透過率（３回目測定値）は７０％であり、第二シートの耐久液透過率（３回目測定値）は３０％であった。吸収性物品の寸法は、長手方向が５５０ｍｍ、幅２００ｍｍとし、吸収体の寸法は、長手方向が５００ｍｍ、幅１５０ｍｍとし、非肌当接面側から、バックシート、吸収体、トップシートの順に積層し、これを実施例１のサンプルとした。
【００３６】
比較例１〜３において、それぞれのトップシートの、第一シート及び第二シートの各々の耐久液透過率（３回目測定値）を表１に記載の値のようにした以外は、実施例１と同様にして吸収性物品を作成し、比較例１〜３のサンプルとした。
【００３７】
（繰り返し吸収速度）
外径８０ｍｍ、内径３０ｍｍ、重量２ｋｇの治具を用いて、サンプルに荷重下で１５０ｍｌの生理食塩水を１０分間隔で３回注水し、３回目の注水分１５０ｍｌを吸収する時間を測定した。結果を表１に示す。
【００３８】
（繰り返し吸収液戻り）
サンプルに生理食塩水１５０ｍｌを１０分間隔で３回注水し、３回目の１５０ｍｌを注水した１０分後に、３５ｇｆ／ｃｍ２の荷重条件で、５５ｍｍ径のろ紙に１分間で液戻りして吸収した水分量を測定した。結果を表１に示す。
【００３９】
【表１】
2020202910.tif 000003
【００４０】
表１の結果から、トップシートにおいて、第一シートの耐久液透過率が第二シートの耐久液透過率と同じ７０％である比較例１では、いずれのシートの耐久液透過率も３０％である比較例２や、第二シートの耐久液透過率が７０％であるのに対して第一シートの耐久液透過率が３０％でしかない比較例３に比べ、繰り返し吸収速度は大幅に速くなった。一方、繰り返し液戻りに関しては、いずれのシートも耐久液透過率が高いために、液戻りした生理食塩水を透過させやすく、そのために液戻りの量は比較例２及び比較例３よりも多くなってしまった。
それに対し、第一シートの耐久液透過率が７０％であるのに対して、第二シートの耐久液透過率が３０％である実施例１では、第一シートの親水度が高いため、比較例１と同等の吸収速度であり、かつ、第二シートの親水度が低いため、液戻りの量も比較例１より大幅に低減した。
よって、本発明によれば、薄型及び軽量であっても、吸収速度が速く、液戻り防止、液流れ防止等の吸収性能に優れ、着用感の良好な吸収性物品を提供することができる。
【符号の説明】
【００４１】
１    吸収性物品
１０  トップシート
２０  バックシート
３０  吸収体
４０  セカンドシート
【図１】
2020202910.tif 000004
【図２】
2020202910.tif 000005
【図３】
2020202910.tif 000006